(57)【要約】      （修正有）【課題】食品包装等に使用する捲込みラップ及びアルミホイルを収納するケース箱本体を掛吊具に対して垂直方向に端面を垂下して係止維持できるようにしたものである。【解決手段】ケース箱本体の長手方向の端面に、表面より上面板、中板部及び底板部を重合状に積層し、該中板部には、切り離しミシン目を設けて、吊掛部と接着板部とを形成し、該吊掛部には、中央に吊掛孔を設けると共に、相対する縦方向に折曲線を形成した事を特徴としている。【選択図】図１
0003127485.tif 000002
【実用新案登録請求の範囲】
【請求項１】
円筒形のラップ及びアルミホイルを収納するケース箱本体における、長手方向の端面には、表面より上面板、中板部及び底板部とを有し、該中板部には、横方向の中央に切り離しミシン目を以って吊掛部と接着板部とを形成し、該吊掛部には、中央に吊掛孔を穿設すると共に、相対する縦方向に折曲線を形成した事を特徴とするラップケース及びアルミホイル箱の吊下げ装置。
【考案の詳細な説明】
【利用分野】
【０００１】    本考案は、食品包装などに使用される捲込みラップを収納するケース箱を吊具を有する掛吊具等に垂直方向に吊掛保持するようにしたラップケース及びアルミホイル箱の吊下げ装置に関するものである。
【背景技術】
【０００２】  従来この種のラップケース及びアルミホイル箱は、ラップ及びアルミホイルを使用した後には、そのままの状態でテーブル等に水平方向に載置するか、または、収納する容器等に縦方向に挿入して保管する事が一般的に使用されている現状である。
【考案の開示】
【考案が解決しよとうする課題】
【０００３】  上記従来で述べている前者のテーブル等にそのまま載置する場合は、設置する場所が大変に邪魔になり整頓ができない問題点がある。
また、各種の容器に縦方向に挿入するものでは、容器の設置場所が必要であり、スペースに対する問題点も生ずるものである。
この考案は、上記従来、普通に使用されている問題点に対し、これを改良したものであって、その目的とする所は、従来のラップケース及びアルミホイル箱を水平に保管する場合と、容器内に垂直に挿入して保管する場合との外に、場所を必要としないで、各所に設けてある各種の掛吊具の吊金具等に係合して場所を取らず吊下げて保管する事ができるラップケース及びアルミホイル箱の吊下げ装置を提供するものである。
【課題を解決するための手段】
【０００４】  この考案は、上記目的を達成するために、従来普通に使用されている円筒形の捲込みラップ及びアルミホイルを収納するケース箱における、長手方向の端面の上部表面に上面板を設け、上面板の下部に中板部と底板部とを設けてある。該中板部には、横方向の梢中央に切り離しミシン目を形成して、切り起こす吊掛部と、接着される接着板部とを形成する。次に、該吊掛部には、中央に吊掛孔を設けると共に、縦方向に相対する折曲線を各々形成し、両端に折曲片を形成することを特徴としている。
【考案の効果】
【０００５】  以上の様に構成されている本考案によれば、従来のラップケースのように、テーブル等に載置したり、容器の中に入れて収納するように場所を必要としない効果と、各所の掛吊具が有する場所に自由に吊下げて保持できると云う効果がある。そして、ケース箱本体の長手方向の一端面を利用して吊掛部を形成できる便利な効果と、中板部の中央に切り離しミシン目を設けて、吊掛部と接着板部とを容易に二分に形成できる効果がある。また、該吊掛部に設けた吊掛孔と相対する縦方向に折曲線を設けたことにより、該吊掛孔は、容易に吊掛できると共に、相対する折曲線によりなる折曲片は、衝立状になって補強され、且つ該ケース箱本体は該折曲片によって、安定状に吊持支持され、吊持強度を維持できる効果がある。
【考案を実施するための最良の形態】
【０００６】  上記のように構成されているラップケース及びアルミホイル箱の吊下げ装置によれば、長手方向の端面に位置する表面の蓋状になる上面板（５）の下面に位置する中板部（９）には、中央に設けた切り離しミシン目（８）によって吊掛部（６）と底板部（１０）に取着する接着板部（７）とに分離し、該吊掛部（６）のみを図３の如く切り起こし、該吊掛部（６）に設けた折曲線（１２）（１２）によって内方に折曲して相対する折曲片（１４）（１４）を形成してケース箱本体（１）を安定させ、吊掛孔（１１）によって掛吊具（１６）の吊具（１７）に吊下げて収納するものである。
【実施例】
【０００７】  次に、本考案の実施例を図面を参照して説明すると、図１に示すものは、本考案のケース箱本体（１）を各々の壁面に取付けた各種の吊具（１７）を設けた掛吊具（１６）に吊掛孔（１１）を以って吊下げたものである。図２に示すものは、該ケース箱本体（１）の長手方向の側面（２）（２）よりなる端面（３）の部分を開示したもので、底部分となる底板部（１０）は、該側面（２）（２）の端部に折曲げて左右に２つに分かれて取付けられ、該底板部（１０）の上面に位置する中板部（９）と、相対する位置の上面板（５）とを各々折曲げるように該側面（２）（２）に一体に成形されている。
該中板部（９）には、横方向の中央に切り離しミシン目（８）を設け、該切り離しミシン目（８）には、吊掛部（６）と該底板部（１０）に接合される接着板部（７）とに分かれるように形成されている。
図３に示すものは、該ケース箱本体（１）の全体を示したもので、該中板部（９）の接着板部（７）は、該上面板（５）の下面に位置し、切り離した吊掛部（６）を起立し、中央に吊掛孔（１１）を穿設し、その両側の縦方向に折曲線（１２）（１２）を形成して、両側に折曲片（１４）（１４）を形成する。また、該吊掛部（６）には、下端の両側の一部に切抜き線（１３）（１３）を形成したものである。
図４に示すものは、該ケース箱本体（１）の内部に捲込みラップ及びアルミホイル（１５）収納した状態の一部開示した側面を示したものである。図５に示す実施例は、該ケース箱本体（１）の側面（２）（２）の長手方向の端面（３）の横断面を示し、内部の下部より底板部（１０）、その上部に中板部（９）と表面の上面板（５）とが折曲げ重合されている。なお、該吊掛部（６）に設けた縦方向の折曲線（１２）（１２）は、必要に応じて傾斜状に折曲線（１２）（１２）を設けることもある。
【図面の簡単な説明】
【０００８】
【図１】  本考案の一部欠除した吊掛けられた状態の斜面図である。
【図２】  同じく本考案の長手方向の端面における各板部を平面状に開放した平面図である。
【図３】  本考案の吊掛部の構造を示した全体の斜面図である。
【図４】  同じく本考案の端面の縦断側面図である。
【図５】  本考案の長手方向の端面の縦断側面図である。
【符号の説明】
【０００９】１        ケース箱本体
２        側面
３        端面
５        上面板
６        吊掛部
７        接着板部
８        切り離しミシン目
９        中板部
１０      底板部
１１      吊掛孔
１２      折曲線
１３      切抜き線
１４      折曲片
１５      捲込みラップ及びアルミホイル
１６      掛吊具
１７      吊具
【図１】
0003127485.tif 000003
【図２】
0003127485.tif 000004
【図３】
0003127485.tif 000005
【図４】
0003127485.tif 000006
【図５】
0003127485.tif 000007